(57)【要約】      （修正有）【課題】設置した複数の視認誘導標が標準電波に基づいて発光動作タイミングが補正されて同期していることを発光体により視認可能とした視認誘導標制御装置において、視認の手段として確認回路や切換回路、更には、確認のための発光動作タイミングを備えることなしに、更には設定者も標準電波に基づいて全ての視認誘導標が同期していることを容易に確認する方法を提供する。【解決手段】標準電波に基づいて発光体Ｇ、Ｒの発光動作タイミングの制御を１周期の発光パターンを基準として制御することにより、全ての視認誘導標における特定の発光パターンで点滅させる発光体Ｇ、Ｒの発光が同期して行われることを視認することで、全ての視認誘導標における発光体の発光動作タイミングが標準電波の受信信号を用いて同期されていることを確認可能とした。【選択図】図３
2014134078.tif 000002
【特許請求の範囲】
【請求項１】
少なくとも、発光体を有する発光部と、標準電波の受信手段と、前記発光体を所定の発光動作タイミングにより点滅させるとともに前記受信手段により受信した標準電波に基づいて前記発光体の発光動作タイミングを制御する制御手段と、前記発光体、受信手段および制御装置を駆動させる電源を搭載した視認誘導標を複数個連設するとともに、前記連設された全ての視認誘導標における前記発光体の発光動作タイミングを前記標準電波の受信信号を用いて同期させて点滅させる視認誘導標制御装置であって、
前記各視認誘導標は、前記発光部が少なくとも２種類の異なる発光色を呈する複数の発光体が配置されているとともに、これらの発光体の前記制御手段により制御される発光動作タイミングを前記同じ色彩による同一発光を連続させることがない発光パターンを所定の数だけ連続させて形成した１周期の発光パターンを繰り返すように制御するとともに、前記標準電波に基づいて前記発光体の発光動作タイミングの制御を前記１周期の発光パターンを基準として制御することにより全ての視認誘導標における特定の発光パターンで点滅させる発光体の発光が同期して行われることを視認することにより全ての視認誘導標における前記発光体の発光動作タイミングが前記標準電波の受信信号を用いて同期されていることを確認可能としたことを特徴とする視認誘導標制御装置。
【請求項２】
前記発光パターンが同一色の発光体による発光と、異なる色彩の複数の発光体による発光が交互に繰り返されることを特徴とする請求項１記載の視認誘導標制御装置。
【請求項３】
前記制御手段が使用環境の明暗を検知することにより作動する電源スイッチを有していることを特徴とする請求項１または２記載の視認誘導標制御装置。
【請求項４】
前記電源が太陽電池と前記太陽電池により起電した電力を貯蓄する二次電池とから形成される請求項１，２または３記載の視認誘導標制御装置。
【発明の詳細な説明】
【技術分野】
【０００１】
本発明は、例えば道路の工事や危険箇所などに設置されて歩行者や運転者に注意を与えるために使用される視認誘導標、特に複数の視認誘導標を複数設置して、それらの視認誘導標を全体として同期させた点滅発光を可能にした視認誘導標制御装置に関するものである。
【背景技術】
【０００２】
従来から、道路の工事現場や道路のカーブ部分などの危険箇所など設置されて歩行者や運転者に注意を与えるために視認誘導標が設置されており、特に近頃は設置の容易性や利便性から点滅させる発光体の電源を独立して搭載したものが用いられており、電源も省エネルギーの観点から太陽電池を用いたものが採用されている。
【０００３】
更に、発光体の点滅発光による視認効果を向上させるために複数設置した視認誘導標を例えば標準電波のような基準時刻信号を用いて設置した全ての視認誘導標の点滅発光タイミングを全て同期させ或いは変化させて点滅させる手段が例えば実公昭６２−９６８００号公報、特開平９−８８０１９号公報に提示されているように公知である。
【０００４】
また、近頃、発光体として消費電力の少ない発光ダイオードの開発が進み、例えば各種の色彩を有する発光ダイオードが提供されることから、視認誘導標においても異なる色彩の発光体を使用して視認性を向上させたものが、例えば特開２０１０−６７０５７号公報などに提示されている。
【先行技術文献】
【特許文献】
【０００５】
【特許文献１】実公昭６２−９６８００号公報
【特許文献２】特開平９−８８０１９号公報
【特許文献３】特開２０１０−６７０５７号公報
【発明の概要】
【発明が解決しようとする課題】
【０００６】
ところで、前記特開２０１０−６７０５７号公報に提示されている発明では、各視認誘導標が例えば標準電波に基づいて同期しているか否かの判断を設置者に確認させる手段として、例えば従来の確認表示手段を別途に設ける方法に代わって視認誘導標に設置されている発光体により表示させることにより、前記別途に確認表示手段を必要としないという点、更には確認しやすい発光体そのものを用いたという点で優れている。
【０００７】
しかしながら、発光体について、標準電波に基づく前の発光体を発光させる発光動作タイミングと、標準電波に基づいて同期した制御をしていることを表示する発光体の発光動作タイミングの異なる２種類の発光動作タイミングによる制御をする必要があり、少なくとも２種類の発光動作タイミングを設定するとともに標準電波により同期したか否かの判断手段、更には発光動作タイミングを切り換えるための切換回路などが必要であり、これらの点検や保守も必要である。
【０００８】
特に、標準電波に基づいて同期している場合と同期していない場合とを視認により確認することからそれぞれ容易に判別可能な異なる発光パターンによる発光動作タイミングの設定が必要であり、加えて、設置者が標準電波による同期前と同期後の発光動作タイミング点滅パターンを予め認識している必要もあり、判断が極めて面倒である、という問題が
ある。
【０００９】
本発明の課題は、設置した複数の視認誘導標が標準電波に基づいて発光動作タイミングが補正されて同期していることを発光体により視認可能とした視認誘導標制御装置において、視認の手段として確認回路や切換回路、更には、確認のための発光動作タイミングを備えることなしに、更には設定者も標準電波に基づいて全ての視認誘導標が同期していることを容易に確認できる視認誘導標制御装置を提供することを課題とする。
【課題を解決するための手段】
【００１０】
前記課題を解決するためになされた本発明は、少なくとも、発光体を有する発光部と、標準電波の受信手段と、前記発光体を所定の発光動作タイミングにより点滅させるとともに前記受信手段により受信した標準電波に基づいて前記発光体の発光動作タイミングを制御する制御手段と、前記発光体、受信手段および制御装置を駆動させる電源を搭載した視認誘導標を複数個連設するとともに、前記連設された全ての視認誘導標における前記発光体の発光動作タイミングを前記標準電波の受信信号を用いて同期させて点滅させる視認誘導標制御装置であって、前記各視認誘導標は、前記発光部が少なくとも２種類の異なる発光色を呈する複数の発光体が配置されているとともに、これらの発光体の前記制御手段により制御される発光動作タイミングを前記同じ色彩による同一発光を連続させることがない発光パターンを所定の数だけ連続させて形成した１周期の発光パターンを繰り返すように制御するとともに、前記標準電波に基づいて前記発光体の発光動作タイミングの制御を前記１周期の発光パターンを基準として制御することにより全ての視認誘導標における特定の発光パターンで点滅させる発光体の発光が同期して行われることを視認することにより全ての視認誘導標における前記発光体の発光動作タイミングが前記標準電波の受信信号を用いて同期されていることを確認可能としたことを特徴とする。
【００１１】
また、本発明において、前記発光パターンが同一色の発光体による発光と、異なる色彩の複数の発光体による発光が交互に繰り返される場合が好ましく、前記制御手段が使用環境の明暗を検知することにより作動する電源スイッチを有している場合には点滅時と充電時を効率よく制御することができる。
【００１２】
また、前記電源が太陽電池と前記太陽電池により起電した電力を貯蓄する二次電池とから形成されることにより電源のない箇所でも独立して使用することができる。
【発明の効果】
【００１３】
本発明によれば、複数の視認誘導標を標準電波を用いて同期させて点滅させる視認誘導標制御装置において、各視認誘導標に特別の手段を設けることなしに標準電波に基づいた発光動作タイミングで点滅し容易に視認することができる。
【図面の簡単な説明】
【００１４】
【図１】本発明である視認誘導標制御装置の実施の形態を示す概略図である。
【図２】図１に示した実施の形態に使用される各視認誘導標の外観図である。
【図３】図２に示した実施の形態についてのブロック回路図。
【図４】図１に示した実施の形態に使用される各視認誘導標の発光動作タイミングの周期を示す説明図。
【図５】図１に示した実施の形態に使用される各視認誘導標の発光動作タイミングを示す説明図。
【図６】図１に示した実施の形態に使用される各視認誘導標の発光動作タイミングのを示す説明図であり標準電波に基づいて同期された状態。
【発明を実施するための最良の形態】
【００１５】
次に本発明における好ましい実施の形態について図面を参照して説明する。
【００１６】
図１は本発明の好ましい実施の形態を示すものであり、視認誘導標制御装置は、例えば道路の工事箇所や危険箇所などに適宜の間隔により複数の視認誘導標１Ａ〜１Ｄを例えばコーン１１の上部に挿着して配置して実施される。
【００１７】
そして、各視認誘導標１Ａ〜１Ｄは図２に示すように、下端に配置されるコーンやガイドレールなどへの挿着部１２とその上部に配置される発光部１３が形成されており、発光部１３には例えば上下左右に４個の赤色の発光体Ｒと中央に１つの緑色の発光体Ｇが配置されている。尚、これらの発光体Ｒ及び発光体Ｇは発光ダイオードが用いられるとよい。また、色彩は少なくとも異なる２種類があればよく、色彩ならびに数や配置は問わない。尚、前記発光体Ｒおよび発光体Ｇは同一パターンのものが裏面にも配置されて視認性を向上させている。
【００１８】
また、前記発光部１３には、頂部に太陽電池２１が配置されているとともにこの太陽電池に沿って標準電波の受信手段３に用いるアンテナ３１が配置されており、下方には、前記各種の機器を制御するためのＣＰＵや記憶装置などにより各種の機器を制御するための制御手段４、更には周囲の明るさを検知するｃｄｓなどによる電源スイッチ５が配置されている。
【００１９】
更に、前記挿着部１２には前記太陽電池２１とともに電源２を形成する二次電池２２が配置されている。
【００２０】
以上の構成を有する各視認誘導標１は、前記発光部１３に配置された赤色の発光体Ｒと緑色の発光体Ｇを前記制御手段４により制御される発光動作タイミングにより発光させて視認を促すものであり、特に、図４に示すように、例えば「赤色の発光体Ｒ」、「赤色の発光体Ｒと緑色の発光体Ｇ」、「赤色の発光体Ｒ」の順に例えば５秒間隔で点滅させる発光パターンを１周期として繰り返して発光させる発光動作タイミングで発光させる。
【００２１】
このような発光動作タイミングにより前記図１に示した本発明である視認誘導制御装置を構成する各視認誘導標１Ａ〜１Ｄでは、前記図４に示したように、各視認誘導標１Ａ〜１Ｄは同一の発光パターンを１周期として繰り返して発光させる発光動作タイミングで発光するが、通常の場合には設置する際に全ての視認誘導標１Ａ〜１Ｄにおける特定の発光パターンで点滅させる発光体の発光が同期して行われない（図５参照）。
【００２２】
そこで、前記標準電波の受信手段３により受信した標準電波に基づいて前記制御手段４により、前記視認誘導標１Ａ〜１Ｄにおける赤色の発光体Ｒと緑色の発光体Ｇの発光動作タイミングの制御を前記「赤色の発光体Ｒ」、「赤色の発光体Ｒと緑色の発光体Ｇ」、「赤色の発光体Ｒ」の順である１周期の発光パターンを基準として制御することにより全ての視認誘導標における特定の発光パターンで点滅させる発光体の発光が同期して行われるように制御する。
【００２３】
尚、標準電波に基づいて全ての視認誘導標において発光動作タイミングを同期させる手段は従来周知の技術であり、詳細については省略する。
【００２４】
このように図６に示したように標準電波に基づいて全ての視認誘導標１Ａ〜１Ｄにおける赤色の発光体Ｒと緑色の発光体Ｇの発光動作タイミングの制御を前記「赤色の発光体Ｒ」、「赤色の発光体Ｒと緑色の発光体Ｇ」「赤色の発光体Ｒ」の順である１周期の発光パターンの発光が同期して行われるように制御することにより、特に、本実施の形態では「赤色の発光体Ｒと緑色の発光体Ｇ」の発光が全て同期するので容易に全ての視認誘導標１
Ａ〜１Ｄの発光が標準電波を基準として制御されていることが容易に視認により確認することができる。
【００２５】
要するに、従来のような一色による発光体を用いた場合には、たとえ、全ての視認誘導標１Ａ〜１Ｄにおける発光動作タイミングが標準電波に基づいて同期させたとしても同期したことを視認することは困難であり、前記公報に提示されているように同期の前後で異なる発光パターンに切り替える必要があるが、本実施の形態では、初めに設定した発光パターンを使用して標準電波に基づいて全ての視認誘導標１Ａ〜１Ｄが同期していることを容易に確認することができる。
【００２６】
加えて、本実施の形態では、少なくとも２種類以上の異なる色彩の発光体を用いることから視認性についても向上が見られる。
【００２７】
尚、本実施の形態はこれに限るものでなく、発光パターンおよび例えば１つの発光部に複数の色彩からなる発光体を設けるなど全体の構成を含めて他の構成であってもよく、要するに、異なる色彩の発光体を用いて色彩を含めて変化する発光パターンの１周期を定めた発光動作タイミングにより発光させて、これを標準電波を基にしてパターンが同期するように制御すればよい。
【符号の説明】
【００２８】
１  視認誘導標、２  電源、３  標準電波の受信手段、４  制御手段、５  電源スイッチ、１３  発光部、２１  太陽電池、２２  二次電池
【図１】
2014134078.tif 000003
【図２】
2014134078.tif 000004
【図３】
2014134078.tif 000005
【図４】
2014134078.tif 000006
【図５】
2014134078.tif 000007
【図６】
2014134078.tif 000008